(57)【特許請求の範囲】
【請求項１】
矢を使用する射的競技の練習用として用いられる練習用標的であって、
発泡プラスチックを主体に形成され標的面を有した板状をなす標的部材と、この標的部材の後に配され前記標的部材を貫通した前記矢を受け止め得る矢止部材と、前記標的部材と前記矢止部材との間に配されこれら標的部材と矢止部材とを離間した状態で支持する支持部材とを備えており、
前記標的部材が前記支持部材に対して着脱可能に構成されたものであって、
発泡プラスチックを主体に形成され標的面を有した板状をなす他の標的部材を備え、当該他の標的部材が前記矢止部材の背面側に着脱可能に取り付けられており、前記標的部材と前記他の標的部材とを相互に交換可能に構成していることを特徴とする練習用標的。
【請求項２】
前記標的部材が、発泡倍率の異なる複数の板状の標的部材構成要素を重ね合わせて形成されたものである請求項１記載の練習用標的。
【請求項３】
前記標的部材と前記矢止部材が正面視において略矩形状をなしており、
前記標的部材の下端部及び前記矢止部材の下端部が、それぞれ天板等の載置面に接し得る接地部を構成している請求項１又は２記載の練習用標的。
【請求項４】
前記標的部材が、独立気泡型発泡プラスチックにより形成されたものである請求項１、２又は３記載の練習用標的。
【請求項５】
前記支持部材が、前記標的部材及び前記矢止部材に対して着脱可能に構成されている請求項１、２、３又は４記載の練習用標的。
【請求項６】
前記標的部材と矢止部材との間に形成された空間を囲繞する囲繞部材を備えている請求項１、２、３、４又は５記載の練習用標的。
【請求項７】
内部に収容空間を有し、当該収容空間に前記標的部材の標的面を外部に露出し得る状態で前記標的部材、矢止部材、及び、支持部材を収容し得る防音部材を備えている請求項１、２、３、４、５又は６記載の練習用標的。
【発明の詳細な説明】
【技術分野】
【０００１】
本発明は、矢を使用するアーチェリー、クロスボウ、弓道等の射的競技の練習用として用いられる練習用標的に関する。
【背景技術】
【０００２】
従来から、アーチェリー等の標的として、種々のものが開発されている（例えば、特許文献１を参照）。
【０００３】
ところで、矢を使用するアーチェリー、クロスボウ、弓道等の射的競技は、矢を射る競技者とその矢を受ける標的との間に一定の距離が必要であるため、その練習をする場合には、一定の敷地や設備を備えた射的競技専用の練習場が使用されるのが通常である。
【０００４】
一方で、前記射的競技専用の練習場以外の場所、例えば、自宅の室内や比較的狭い空間を有した屋内等においても、射的の練習をしたいという要望は存在していたが、従来において、このような要望に適切に対応し得る専用の練習用標的は存在していなかった。
【０００５】
かかる事情により、射的の練習を前記専用の練習場以外の場所で実施しようとする者は、例えば、雑誌等の書籍を複数重ね合わせたり、或いは、座布団や布団等のクッション性のある材料を丸めたりして、団塊状にしたものを作成し、このものを練習用の標的として使用していた。
【０００６】
しかしながら、従来のものは、使用者に重く感じられる程度の重量と不安定な形状をなしていたため、所望の箇所に安定配置し難いだけでなく、移動や保管において不便なものとなっていた。
【０００７】
しかも、従来のものでは、矢の刺さり具合が一定に定まりにくく不安定であるという不具合があった。すなわち、矢が刺さらない場合には安全性において好ましいとは言い難く、その逆に、矢が深く刺さりすぎた場合には矢が抜け難くいものとなり、抜き取り作業が極めて困難になるだけでなく矢の損傷をひきおこす一因となっていた。
【先行技術文献】
【特許文献】
【０００８】
【特許文献１】特開平０９−３１８２９７号公報
【発明の概要】
【発明が解決しようとする課題】
【０００９】
本発明は、以上のような事情に着目してなされたもので、少なくとも、軽量化を行うための設計の自由度に優れた練習用標的を提供することにある。
【課題を解決するための手段】
【００１０】
すなわち、本発明の練習用標的は次の構成をなしている。
【００１１】
請求項１に記載の練習用標的は、矢を使用する射的競技の練習用として用いられる練習用標的であって、発泡プラスチックを主体に形成され標的面を有した板状をなす標的部材と、この標的部材の後に配され前記標的部材を貫通した前記矢を受け止め得る矢止部材と、前記標的部材と前記矢止部材との間に配されこれら標的部材と矢止部材とを離間した状態で支持する支持部材とを備えており、前記標的部材が前記支持部材に対して着脱可能に構成されたものであって、発泡プラスチックを主体に形成され標的面を有した板状をなす他の標的部材を備え、当該他の標的部材が前記矢止部材の背面側に着脱可能に取り付けられており、前記標的部材と前記他の標的部材とを相互に交換可能に構成しているものである。
【００１２】
請求項２に記載の練習用標的は、請求項１に係る構成において、前記標的部材が、発泡倍率の異なる複数の板状の標的部材構成要素を重ね合わせて形成されたものである。
【００１３】
請求項３に記載の練習用標的は、請求項１又は２に係る構成において、前記標的部材と前記矢止部材が正面視において略矩形状をなしており、前記標的部材の下端部及び前記矢止部材の下端部が、それぞれ天板等の載置面に接し得る接地部を構成しているものである。
【００１４】
請求項４に記載の練習用標的は、請求項１、２又は３に係る構成において、前記標的部材が、独立気泡型発泡プラスチックにより形成されたものである。
【００１５】
請求項５に記載の練習用標的は、請求項１、２、３又は４に係る構成において、前記支持部材が、前記標的部材及び前記矢止部材に対して着脱可能に構成されているものである。
【００１６】
請求項６に記載の練習用標的は、請求項１、２、３、４又は５に係る構成において、前記標的部材と矢止部材との間に形成された空間を囲繞する囲繞部材を備えているものである。
【００１７】
請求項７に記載の練習用標的は、請求項１、２、３、４、５又は６に係る構成において、内部に収容空間を有し、当該収容空間に前記標的部材の標的面を外部に露出し得る状態で前記標的部材、矢止部材、及び、支持部材を収容し得る防音部材を備えているものである。
【発明の効果】
【００１９】
以上説明したように本発明によれば、少なくとも、軽量化を行うための設計の自由度に優れた練習用標的を提供することができるものとなる。
【図面の簡単な説明】
【００２０】
【図１】本発明の第一の実施形態を示す斜視図。
【図２】同実施形態における分解斜視図。
【図３】同実施形態における右側面図。
【図４】本発明の参考例を示す斜視図。
【図５】本発明の第三の実施形態を示す斜視図。
【図６】同実施形態における分解斜視図。
【発明を実施するための形態】
【００２１】
以下、本発明の第一の実施形態を、図１〜３を参照して説明する。
【００２２】
この実施形態は、本発明を、住宅の部屋内でアーチェリーの練習を行うための練習用標的Ｔに適用したものである。この練習用標的Ｔは、住宅の部屋内での使用に違和感なく対応することができるよう、高さが約３３０ｍｍ、横幅が約５００ｍｍ、奥行きが約５１０ｍｍに設定されている。練習用標的Ｔは、主として、テーブルや机等の家具の載置面Ｆである天板の上面に載せ置いて使用される。なお、練習用標的Ｔは、組み立て及び分解を容易に行うことができるようになっており、不使用時には構成部材ごとに分離して保管及び収納することができるようになっている。
【００２３】
練習用標的Ｔは、発泡プラスチックを主体に形成され標的面１ａを有した板状をなす標的部材１と、この標的部材１の後に配され前記標的部材１を貫通した前記矢Ｙを受け止め得る矢止部材２と、前記標的部材１と前記矢止部材２との間に配されこれら標的部材１と矢止部材２とを離間した状態で支持する支持部材３とを備えている。また、この実施形態では、前記矢止部材２の背面側に発泡プラスチックを主体に形成され標的面４ａを有した板状をなす他の標的部材４を備えている。
【００２４】
以下、第一の実施形態である練習用標的Ｔについて詳述する。
【００２５】
前記標的部材１は、正面視において縦長矩形状をなした板状のものである。より具体的に言えば、前記標的部材１は、前後方向の幅が左右方向の幅よりも短く、且つ、左右方向の幅が上下方向の幅よりも短い直方体をなしており、長方形をなす正面、背面、上面、下面（底面）、及び、左右の側面を有している。前記標的部材１の正面は、矢Ｙを射る者が視覚を通じて矢Ｙを当てるべき目標とする標的面１ａとしている。前記標的部材１は、その下端部である底面が天板の載置面Ｆに接し得る接地部１ｓを構成している。つまり、前記標的部材１は、接地部１ｓが載置面Ｆに面的に接した状態で自立可能に構成されている。前記標的部材１は、水平の載置面Ｆに対して略垂直に起立した姿勢をなしている。前記標的部材１は、正面視における４つの角部分に厚み方向に貫通した貫通孔１ｈを備えている。この貫通孔１ｈは、後述する支持部材３のボルト３２を通過させるためのものである。
【００２６】
前記標的部材１は、発泡倍率の異なる複数の板状の標的部材構成要素１１、１２、１３を重ね合わせて形成されている。この実施形態では、前記標的部材１は、前側に位置する第一の標的部材構成要素１１と、中間に位置する第二の標的部材構成要素１２と、後側に位置する第三の標的部材構成要素１３とを備えている。
【００２７】
前記第一の標的部材構成要素１１は、発泡倍率が９倍に設定された板状のもので、架橋せしめた独立気泡型ポリエチレン発泡体により構成されている。前記第一の標的部材構成要素１１の厚み寸法は、約３０ｍｍに設定されている。
【００２８】
前記第二の標的部材構成要素１２は、発泡倍率が１５倍に設定された板状のもので、架橋せしめた独立気泡型ポリエチレン発泡体により構成されている。前記第二の標的部材構成要素１２の厚み寸法は、約１０ｍｍに設定されている。
【００２９】
前記第三の標的部材構成要素１３は、発泡倍率が１４倍に設定された板状のもので、架橋せしめた独立気泡型ポリエチレン発泡体により構成されている。前記第三の標的部材構成要素１３の厚み寸法は、約４５ｍｍに設定されている。
【００３０】
独立気泡型ポリエチレン発泡体により構成された各第一、第二、第三の標的部材構成要素１１、１２、１３の発泡倍率は、自由に設定することができる。本実施形態では、発泡倍率が９倍に設定された前記第一及び第三の標的部材構成要素１１、１３によって矢Ｙを制動する機能を主体的に担い、発泡倍率が１５倍に設定された前記第二の標的部材構成要素１２によって、矢Ｙの外周を保持する機能を主体的に担うように構成している。
【００３１】
これら第一、第二、第三の標的部材構成要素１１、１２、１３は、熱ラミネートで積層することにより相互に一体的に接着されている。なお、各標的部材構成要素１１、１２、１３の相互の接着方法は熱ラミネートに限られるものではなく、例えば、接着剤を使用する等の適宜の方法を採用することができる。前記標的部材１は、各標的部材構成要素１１、１２、１３を貼り合わせた後に、周縁のバリや余剰部分を切除することによって得られる。
【００３２】
前記第一、第二、第三の標的部材構成要素１１、１２、１３は、射的された矢との摩擦熱により局所的に溶けが発生し、当該溶けた部分が矢に付着することを抑制するため、架橋せしめた発泡プラスチックを採用している。
【００３３】
前記矢止部材２は、標的部材１の後に一定の間隔をあけて配されたものであり、この実施形態では、標的部材１と矢止部材２との間に３００ｍｍの間隔を設けている。前記矢止部材２は、矢Ｙが前記標的部材１を貫通し、当該標的部材１が矢Ｙの動きを停止しきれず、矢Ｙが更に奥方に向かって進行を続けた場合に、矢Ｙの先端部Ｙ１を受け止めてそれ以上の矢Ｙの奥方への進行を抑制する機能を奏するものである。
【００３４】
前記矢止部材２は、正面視において縦長矩形状をなした板状のものである。前記矢止部材２の左右幅及び上下幅は、標的部材１と略同じに設定されている。前記矢止部材２の正面は、矢Ｙの先端部Ｙ１を受け止める当たり面２ａになっている。前記矢止部材２は、その下端部が天板の載置面Ｆに接し得る接地部２ｓを構成している。つまり、前記矢止部材２は、標的部材１及び支持部材３と協働して、接地部２ｓが載置面Ｆに接した状態で自立可能に構成されている。前記矢止部材２は、正面視における４つの角部分に厚み方向に貫通した貫通孔２ｈを備えている。この貫通孔２ｈは、後述する支持部材３の止着具であるボルト３２を通過させるためのものである。
【００３５】
この実施形態では、前記矢止部材２は、軽量であり強度に優れるとともに一定のクッション性により矢Ｙの破損を好適に回避し得る発泡プラスチックを主体に構成されている。
【００３６】
前記支持部材３は、前記標的部材１と前記矢止部材２とを接続するためのものである。前記支持部材３は、前記標的部材１と前記矢止部材２との間に架設されており、標的部材１と矢止部材２との間に手が挿入可能な空間ｋを形成している。標的部材１と矢止部材２との間に空間ｋを有しているので、必要な場合には、当該空間ｋに位置する矢Ｙの前部分を把持し、矢Ｙを標的部材１から抜き取る作業を補助することも可能である。支持部材３は、前記標的部材１及び前記矢止部材２に対して着脱可能に構成されている。具体的に言えば、前記支持部材３は、前端及び後端にナットｎを備え前後方向に延びる柱状をなす支持部材本体３１と、支持部材本体３１のナットｎに螺着される止着具たるボルト３２とを備えたものである。
【００３７】
前記支持部材本体３１は、直径が１〜２ｃｍの円柱状をなしたものであり、この実施形態では、下部及び上部にそれぞれ２本配設されている。標的部材１と支持部材本体３１とは、貫通孔１ｈを通過させたボルト３２をナットｎに螺着することにより取り付けられている。なお、ボルト３２と標的部材１との間には、ワッシャｗが介在させてある。
【００３８】
前記矢止部材２と支持部材本体３１とは、貫通孔２ｈを通過させたボルト３２をナットｎに螺着することにより取り付けられている。
【００３９】
前記他の標的部材４は、一の標的部材１（他の標的部材４との区別の便宜のため本明細書において「標的部材１」を「一の標的部材１」と称することがある）と、必要時において、一の標的部材１と交換可能なものであり、この実施形態では、一の標的部材１と異なる構成をなしている。相互に異なる構成を備えた一の標的部材１と他の標的部材４とを交換する場合としては、矢Ｙを射る者や矢Ｙを射る道具の違いに伴う矢Ｙの強さに適した仕様が、一の標的部材１では無く、他の標的部材４である場合を挙げることができる。より具体的な一例としては、男性が使用する場合には基本的に一の標的部材１を使用し、女性が使用する場合には基本的に一の標的部材１よりも矢Ｙが刺さり易い他の標的部材４を使用する場合が考えられる。
【００４０】
前記他の標的部材４は、正面視において縦長矩形状をなした板状のものである。前記他の標的部材４は、前後方向の幅が左右方向の幅よりも短く、且つ、左右方向の幅が上下方向の幅よりも短い直方体をなしており、長方形をなす正面、背面、上面、下面（底面）、及び、左右の側面を有している。前記他の標的部材４は、一の標的部材１と同様の標的面４ａを有している。前記他の標的部材４は、その下端部である底面が天板の載置面Ｆに接し得る接地部４ｓを構成している。つまり、前記他の標的部材４は、接地部４ｓが載置面Ｆに面的に接した状態で自立可能に構成されている。前記他の標的部材４は、正面視における４つの角部分に厚み方向に貫通した貫通孔４ｈを備えている。この貫通孔４ｈは、支持部材３のボルト３２を通過させるためのものである。
【００４１】
前記他の標的部材４は、一の標的部材１と同様に、発泡倍率の異なる複数の板状の標的部材構成要素４１、４２、４３を重ね合わせて形成されている。この実施形態では、他の標的部材４は、前側に位置する第一の標的部材構成要素４１と、中間に位置する第二の標的部材構成要素４２と、後側に位置する第三の標的部材構成要素４３とを備えている。
【００４２】
前記第一の標的部材構成要素４１は、発泡倍率が１４倍に設定された板状のもので、架橋せしめた独立気泡型ポリエチレン発泡体により構成されている。前記第一の標的部材構成要素４１の厚み寸法は、約４０ｍｍに設定されている。
【００４３】
前記第二の標的部材構成要素４２は、発泡倍率が１５倍に設定された板状のもので、架橋せしめた独立気泡型ポリエチレン発泡体により構成されている。前記第二の標的部材構成要素４２の厚み寸法は、約１０ｍｍに設定されている。
【００４４】
前記第三の標的部材構成要素４３は、発泡倍率が１４倍に設定された板状のもので、架橋せしめた独立気泡型ポリエチレン発泡体により構成されている。前記第三の標的部材構成要素４３の厚み寸法は、約４０ｍｍに設定されている。
【００４５】
独立気泡型ポリエチレン発泡体により構成された各第一、第二、第三の標的部材構成要素４１、４２、４３の発泡倍率は、自由に設定することができる。本実施形態における、他の標的部材４は、発泡倍率が１４倍に設定された前記第一及び第三の標的部材構成要素４１、４３、及び、発泡倍率が１５倍に設定された前記第二の標的部材構成要素４２によって、矢Ｙを制動する機能とともに矢Ｙの外周を保持する機能を担うように構成している。
【００４６】
この実施形態では、他の標的部材４は、一の標的部材１と比較して弱い力で矢Ｙを貫通させることができるように構成されている。上述したように、使用者が女性である場合に一の標的部材１に換えて他の標的部材４を前側に装着し、他の標的部材４の標的面４ａに向かって矢Ｙを射るという使用の態様が考えられる。
【００４７】
その他、前記他の標的部材４の構成については、一の標的部材１と同一であるため説明を省略する。
【００４８】
前記他の標的部材４は、矢止部材２の背面側に着脱可能に取り付けられている。この実施形態では、他の標的部材４は、その前面を矢止部材２の背面に添接させた状態で、貫通孔４ｈを通過したボルト３２を支持部材本体３１のナットｎに螺着することにより矢止部材２に取り付けられている。換言すれば、矢止部材２及び他の標的部材４は、ボルト３２を用いて支持部材本体３１に対して共締めされている。なお、ボルト３２と他の標的部材４との間には、ワッシャｗが介在させてある。
【００４９】
しかして、射的の練習は、前記練習用標的Ｔに対し、２ｍ〜３ｍほど離れた距離から矢Ｙを射ることにより行われる。矢Ｙを射る者は、矢Ｙを標的部材１の標的面１ａに向けて放つようにする。なお、前記標的部材１の標的面１ａに的紙等は貼り設けないが、適宜的紙等を貼り設けて練習をしてもよい。本実施形態の練習用標的Ｔに対しては、４４ポンド強さのアーチェリー弓を使用し、約２ｍ離れた位置から射的を１，０００射繰り返したが、その結果、矢Ｙが矢止部材２を貫通することはなかった。
【００５０】
以上説明したように、本実施形態に係る前記練習用標的Ｔは、矢Ｙを使用する射的競技の練習用として用いられるものである。そして、発泡プラスチックを主体に形成され標的面１ａを有した板状をなす標的部材１と、この標的部材１の後に配され前記標的部材１を貫通した前記矢Ｙを受け止め得る矢止部材２と、前記標的部材１と前記矢止部材２との間に配されこれら標的部材１と矢止部材２とを離間した状態で支持する支持部材３とを備えている。このため、軽量化を行うための設計の自由度に優れた練習用標的Ｔを実現することができるものとなる。
【００５１】
しかも、この実施形態の前記練習用標的Ｔは、標的部材１の背面と矢止部材２の当たり面２ａとを約３００ｍｍ離間させているため、必要な場合には、その空間ｋに手を差し入れて、矢Ｙの先端側を把持し、矢Ｙの抜き取りを補助することができることとなる。
【００５２】
前記標的部材１が、発泡倍率の異なる複数の板状の標的部材構成要素１１、１２、１３を重ね合わせて形成されたものである。このため、発泡倍率の違いに伴う矢Ｙに対する作用の違いを利用して、好適な矢Ｙの受け付け及び矢Ｙの保持を好適に行い得るものとなる。特に、本実施形態では、発泡倍率が９倍に設定された第一の標的部材構成要素１１によって矢Ｙの動力を減少させる機能を主体的に担い、発泡倍率が１５倍に設定された第二の標的部材構成要素１２、及び、発泡倍率が１４倍に設定された第三の標的部材構成要素１３によって、矢Ｙの外周を把持する機能を主体的に担うように設定しているため、矢Ｙを好適に受け付けて保持し得るものとなる。
【００５３】
前記標的部材１と前記矢止部材２が正面視において略矩形状をなしており、前記標的部材１の下端部及び前記矢止部材２の下端部が、それぞれ天板等の載置面Ｆに接し得る接地部１ｓ、２ｓを構成している。このため、標的部材１と矢止部材２は、載置面Ｆに対して安定して起立した姿勢を採り得るものとなり、載置面Ｆ上に安定的に載置されるものとなるとともに設置や移動等の取り扱いの容易に寄与し得るものとなっている。
【００５４】
前記標的部材１が、前記支持部材３に対して着脱可能に構成されている。また、発泡プラスチックを主体に形成され標的面４ａを有した板状をなす他の標的部材４を備えており、当該他の標的部材４が前記矢止部材２の背面側に着脱可能に取り付けられている。そして、前記標的部材（一の標的部材）１と前記他の標的部材４とを相互に交換可能に構成している。このため、他の標的部材４が矢止部材２の背面側に配されているため、載置面Ｆに対してより安定的に載置され得るものとなる。しかも、前記標的部材１と前記他の標的部材４とを相互に交換することができるものとなり、例えば、老朽化や破損等に伴う交換や、矢Ｙの重さや矢Ｙを射る者の力等によって上下する矢Ｙの力の程度に適合させるための交換を柔軟に行うことができるものとなる。
【００５５】
前記標的部材１が、独立気泡型発泡プラスチックにより形成されたものである。このため、雨等により水の影響を受けても、水の浸透が抑制され強度に優れた標的部材１を実現することができるものとなる。
【００５６】
前記支持部材３が、前記標的部材１及び前記矢止部材２に対して着脱可能に構成されている。換言すれば、練習用標的Ｔを構成する各構成部材１、２、３が、分離可能に構成されているため、不使用時において、コンパクトな態様で収納、保管等することができるものとなる。
【００５７】
なお、本発明は、以上に詳述した実施形態に限られるものではない。
【００５８】
練習用標的は、矢を使用する射的競技の練習用として用いられるものであり、アーチェリーに限られるものではない。射的競技とは、矢を標的に当てる行為を含む競技であればよく、例えば、クロスボウや弓道であってもよいし、その他の競技であってもよい。
【００５９】
練習用標的を用いて射的競技の練習を行う場所は、住宅の部屋内に限られないのはもちろんのことである。
【００６０】
一の標的部材と他の標的部材は、同一の構成にしてもよい。同一の構成である一の標的部材と他の標的部材とを交換する場合としては、例えば、一の標的部材が一定期間の使用に伴って部分的に損壊した場合を挙げることができる。
【００６２】
次いで、第三の実施形態を図５及び図６を参照して説明する。
【００６３】
この実施形態の練習用標的Ｔは、第一の実施形態に示されたものと同一の標的部材１、矢止部材２、支持部材３、他の標的部材４を備えた構成に加えて、標的部材１と矢止部材２との間の空間ｋを囲繞する囲繞部材たるスリーブ５と、標的部材１の標的面１ａを露出した状態で、標的部材１、矢止部材、支持部材３、他の標的部材４及び前記スリーブ５を収容し得る防音部材たる箱体６とを具備している。
【００６４】
第三の実施形態において、練習用標的Ｔを構成する標的部材１と、矢止部材２と、支持部材３と、他の標的部材４は、第一の実施形態において説明したものと同様のものであるため、詳細な説明を省略するものとし、以下、囲繞部材であるスリーブ５及び防音部材である箱体６について説明する。
【００６５】
スリーブ５は、標的部材１と矢止部材２との間に形成される空間ｋを上下及び左右方向から取り囲むものであり、矢Ｙが標的部材１に突き刺さることにより生じるプラスチック材料のカスが外部へ飛散することを抑制する機能を営むものである。この実施形態では、スリーブ５は四角筒状をなしており、一の標的部材１及び他の標的部材４の上下面及び左右面に密接し得る大きさ及び前後寸法を備えている。スリーブ５は、矩形板状をなす左右の側板５１と左右の側板５１の上縁間を連結する矩形板状の天板５２と、左右の側板５１の下縁間の連結する矩形板状の底板５３とを備えており、ダンボールにより形成されている。
【００６６】
箱体６は、使用時において、標的部材１の標的面１ａを露出した状態で、他の構成部位（標的部材１、矢止部材２、支持部材３、他の標的部材４、及びスリーブ５）全部を内部の収容空間ｓｐに収容し得るもので、射的の練習に伴う音を低減するためのものである。この実施形態では、箱体６は、収容空間ｓｐを有した直方体状のものであり、一の標的部材１の上下面及び左右面と、他の標的部材４の上下面、左右面及び背面に密接し得る大きさ及び前後寸法を備えている。この実施形態では、箱体６は、矩形板状の左右の側板６１と左右の側板６１の上縁間を連結する矩形板状の天板６２と、左右の側板６１の下縁間の連結する矩形板状の底板６３と、左右の側板６１の下縁間に配される矩形板状の後板６４と、不使用時において左右の側板６１の前縁間に配される蓋片である矩形板状の前板６５とを備えており、ダンボールにより形成されている。前板６５は天板６２の前縁に連設されており、練習に供される場合は、前板６５は後方に折り返されて天板６２の上面側に位置している。必要な場合には、天板６２上に重ね合わされた前板６５の上に、適宜重りを置くようにしてもよい。前板６５は、練習に使用されない場合には、内部の収容空間ｓｐを閉塞するいわゆる蓋として機能を発揮するべく、側板６１、天板６２、底板６３の前縁部により構成された開口部を閉塞する位置に配され、片状の下端部６５１が第一の標的部材１と底板６３との間に配される。前板６５は、側板６１と底板６３の前端に設けられた補助片６３１、６５１と協働して、左右の側板６１、天板６２、底板６３により形成された開口部を好適に閉塞できるように構成されている。
【００６７】
以上説明した第三の実施形態であれば、囲繞部材であるスリーブ５を備えている。このため、矢Ｙが標的部材１に突き刺さることにより発生するプラスチック材料のカスが、外部に飛散してしまうことを効果的に抑制することができるようになっている。しかも、スリーブ５は、空間ｋを囲繞しているものであるため、練習中に発生する音を効果的に低減させることができるものとなる。
【００６８】
箱体６は、使用時（すなわち、射的の練習時）において、標的部材１の標的面１ａを露出した状態で、他の構成部位（標的部材１、矢止部材２、支持部材３、他の標的部材４、及びスリーブ５）全部を収容空間ｓｐに収容し得るものであるため、射的の練習に伴う音を効果的に低減することができるものとなる。しかも、箱体６は、不使用時（すなわち、射的の練習をしていない時）において、梱包用の箱として機能するものであるため、標的部材１、矢止部材２、支持部材３、他の標的部材４、及びスリーブ５を内部にまとまりよく収納して保管することができるものとなる。さらに、箱体６は、スリーブ５とともに、矢Ｙが標的部材１に突き刺さることにより発生し得るプラスチック材料のカスが、外部に飛散してしまうことを効果的に抑制することができるようになっている。このため、使用後の取り扱いに極めて優れたものとなっている。
【００６９】
上述した各実施形態はあくまでも一例を示したものであり、その他、本考案の趣旨を逸脱しない範囲で種々変形可能であることは言うまでもない。
【００７０】
囲繞部材は、標的部材と矢止部材間の空間を取り囲むことができればよく、上述した実施形態のものに限定されるものではない。例えば、板状、又はフィルム状、或いは、シート状の部材の前端側を、標的部材の外周に接着等により止着するとともに、後端側を矢止部材の外周に接着等により止着することにより、標的部材と矢止部材間の空間を取り囲むようにしてもよい。
【００７１】
プラスチック材料のカスが飛散することを抑制するとともに一定の防音効果を得られる練習用標的の構成として、囲繞部材のみを適用してもよいし、防音部材のみを適用してもよい。
【００７２】
矢止部材は、矢の進行を抑制することができればよく、発泡プラスチックを使用したものに限られるものではない。例えば、矢止部材は、木製や紙製や繊維製の部材を用いてもよいし、防矢ネット等を用いてもよい。
【００７３】
練習用標的が載置される載置面は、家具における天板の上面に限られるものではなく、床面であってもよい。なお、載置面上に部材が介在する場合には、当該介在部材が載置面を構成するものであり、例えば、第三の実施形態における載置面Ｆは、囲繞部材たるスリーブ５の底板５３の上面である。
【００７４】
その他、各部の具体的構成についても上記実施形態に限られるものではなく、本発明の趣旨を逸脱しない範囲で種々変形が可能である。
【符号の説明】
【００７５】
１…標的部材（一の標的部材）
２…矢止部材
３…支持部材
４…他の標的部材
Ｔ…練習用標的
Ｙ…矢
Ｆ…載置面
【要約】
【課題】少なくとも、軽量化を行うための設計の自由度に優れ、安全かつ容易に射的競技の練習を行うことができる練習用標的を提供する。
【解決手段】矢を使用する射的競技の練習用として用いられる練習用標的であり、発泡プラスチックを主体に形成され標的面を有した板状をなす標的部材と、この標的部材の後に配され前記標的部材を貫通した前記矢を受け止め得る矢止部材と、前記標的部材と前記矢止部材との間に配されこれら標的部材と矢止部材とを離間した状態で支持する支持部材とを備えたものとしている。このようなものであれば、軽量化を行うための設計の自由度に優れ、安全かつ容易に射的競技の練習を行うことができる。
【選択図】図１【図１】
0005604607.tif 000002
【図２】
0005604607.tif 000003
【図３】
0005604607.tif 000004
【図４】
0005604607.tif 000005
【図５】
0005604607.tif 000006
【図６】
0005604607.tif 000007